(57)【要約】【課題】本発明は廃棄医療用具の処理設備を開示した。【解決手段】処理器を含み、前記処理器の中には粉砕チャンバが設置され、本発明は構成が簡単であり、操作しやすく、メンテナンスが便利であり、また当該設備は医療用具を自動的に粉砕し、材料を分離させ、また可燃性材料を完全に燃やして環境への二次汚染を減少し、また焼却する時の熱量を利用して金属材料を融解させ、資源の回収利用に便利を与え、また作業員が医療用具と接触する確率を下げ、作業員の作業環境を改善し、医薬用具の処理効率を上げ、そのため、当該設備は高い使用価値と普及する価値を有する。【選択図】図１
2020199491.tif 000002
【特許請求の範囲】
【請求項１】
正面視で、処理器を含み、前記処理器の中には粉砕チャンバが設置され、前記粉砕チャンバの中には廃棄された医療用具を粉砕できる粉砕装置が設置され、前記粉砕チャンバの右壁の中には医療用具送りチャンバが設置され、前記医療用具送りチャンバの中には医療用具送り装置が設置され、更に廃棄された医療用具を絶えず前記粉砕装置の中に送ることができ、前記粉砕チャンバの中には粉砕された医療用具を篩分ける篩分け装置が設置され、更に可燃性材料と金属材料を分離させることができ、分別処理に便利を与え、また材料回収利用率を高め、前記粉砕チャンバの前側壁の中には伝動チャンバが設置され、前記伝動チャンバの中には前記篩分け装置の動力を前記粉砕装置の中に伝達できる第一ギヤトレーンが設置され、更に前記粉砕装置を連動させて回転させ、前記粉砕チャンバの底壁の中には前記粉砕チャンバに連通した隔離チャンバが設置され、前記隔離チャンバの底壁の中には前記隔離チャンバに連通した焼却炉が設置され、前記焼却炉の中には可燃性材料を焼却して処理できる焼却装置が設置され、更に可燃の医療用具を焼却して処理でき、前記隔離チャンバの中には間欠的に回転する隔離装置が設置され、更に可燃性医療用具を前記焼却炉に間欠的に落として焼却でき、一回に大量の医療用具が前記焼却装置の中に入って燃焼効率を下げ、更に二次汚染物を生じることを避け、前記隔離チャンバの右壁の中には前記粉砕チャンバに連通した溶錬炉が設置され、更に落ちた金属材料を溶融させ、更に金属材料に対して滅菌処理を行い、前記溶錬炉と前記焼却炉との間には前記焼却装置の中に生じた熱量を前記溶錬炉の中に伝達する熱伝導器が設置され、更にエネルギーの浪費を避け、前記伝動チャンバの右壁の中には動力チャンバが設置され、前記動力チャンバの中には当該設備を駆動して作動させ続ける駆動システムが設置され、前記動力チャンバの中には前記駆動システムが生じた動力を各装置の中に伝達できる伝動装置が設置されたことを特徴とする廃棄医療用具の処理設備。
【請求項２】
前記駆動システムは前記動力チャンバの中に設置された原動機を含み、前記動力チャンバの中には動力軸が設置され、前記動力軸の底端が前記原動機と動力が伝達できるように連結され、前記原動機の頂端には主動ギヤが設置されたことを特徴とする請求項１に記載の廃棄医療用具の処理設備。
【請求項３】
前記原動機は電動機又は油圧モータであり、前記動力軸を駆動して回転させることができることを特徴とする請求項２に記載の廃棄医療用具の処理設備。
【請求項４】
前記伝動装置は前記動力チャンバの中に設置された伝動軸を含み、前記動力チャンバの底壁の中には転向チャンバが設置され、前記伝動軸の外壁には前記動力チャンバの中に位置しており、且つ前記主動ギヤと噛み合っている従動ギヤが設置され、更に前記伝動軸を連動させて回転させることができ、前記伝動軸の外壁には前記動力チャンバの中に位置しており、且つ前記篩分け装置を連動させて回転させることができる主動ベベルギヤが設置され、前記伝動軸の頂端には前記動力チャンバの中に位置しており、且つ前記医療用具送り装置を連動させて左右にスライドさせることができる上ベベルギヤが設置され、前記伝動軸の底端には前記転向チャンバの中に位置しており、且つ前記隔離装置を連動させて回転させることができる下ベベルギヤが設置されたことを特徴とする請求項１に記載の廃棄医療用具の処理設備。
【請求項５】
前記医療用具送り装置は前記粉砕チャンバの中にスライドできるように設置された医療用具送り推しブロックを含み、前記医療用具送りチャンバの中には揺れ動くことができる揺れロッドが設置され、前記揺れロッドと前記医療用具送り推しブロックの底部端壁との間はスライドコンロッドを通してヒンジにより連結され、更に前記揺れロッドが左右に揺れ動いて前記医療用具送り推しブロックを連動させて左右にスライドさせることができ、更にゴミを前記粉砕装置の中に絶えず送り込み、前記医療用具送りチャンバの中には医療用具送り軸が設置され、前記医療用具送り軸の前端には前記動力チャンバの中に位置しており、且つ前記上ベベルギヤと噛み合っている医療用具送りベベルギヤが設置され、更に前記医療用具送り軸を連動させて回転させることができ、前記医療用具送り軸の後端には前記医療用具送りチャンバの中に位置している回転ロッドが設置され、前記揺れロッドが前記回転ロッドの中にスライドできるように設置されたことを特徴とする請求項１に記載の廃棄医療用具の処理設備。
【請求項６】
前記粉砕装置は前記粉砕チャンバの中に設置された左右対称の粉砕軸を含み、前記粉砕軸の外壁には前記粉砕チャンバの中に位置している粉砕ロールが設置され、更に廃棄医療用具を粉砕して処理でき、前記粉砕軸の前端には前記伝動チャンバの中に位置している粉砕ギヤが設置され、左右両側の前記粉砕ギヤが互いに噛み合っており、右側の前記粉砕ギヤが前記第一ギヤトレーンと噛み合っており、更に前記粉砕軸を連動させて回転させることができ、前記伝動チャンバの中には分離軸が設置され、前記分離軸の外壁には前記伝動チャンバの中に位置しており、且つ前記第一ギヤトレーンと噛み合っている伝動ギヤが設置され、前記分離軸の前端には従動ベベルギヤが設置され、更に前記分離軸を連動させて回転させることができ、前記動力チャンバの中には第一延伸軸が設置され、前記第一延伸軸の左端には前記伝動チャンバの中に位置しており、且つ前記従動ベベルギヤと噛み合っている左ベベルギヤが設置され、更に前記従動ベベルギヤにより前記分離軸を連動させて回転させることができ、前記第一延伸軸の右端には前記動力チャンバの中に位置しており、且つ前記主動ベベルギヤと噛み合っている右ベベルギヤが設置されたことを特徴とする請求項１に記載の廃棄医療用具の処理設備。
【請求項７】
前記篩分け装置は前記粉砕チャンバの中に設置された二つの支えロールを含み、前記支えロールの間には金属材料を吸着できる磁性分離ベルトが回転できるように設置され、更に金属材料と可燃性材料を分離させ、上側の前記支えロールが前記分離軸の後端と固定的に連結されたことを特徴とする請求項１に記載の廃棄医療用具の処理設備。
【請求項８】
前記隔離装置は前記隔離チャンバの中に設置された左右対称の隔離軸を含み、前記隔離軸の外壁には四つの隔離板が円周方向に配列され、左右両側の前記隔離板が互いに接触して前記隔離チャンバと前記焼却炉とを隔離することができ、更に前記焼却装置の中に入った可燃性材料を制限し、前記転向チャンバの左壁の中には伝達チャンバが設置され、前記隔離軸の前端には前記伝達チャンバの中に位置している隔離ギヤが設置され、左右両側の前記隔離ギヤの間には第二ギヤトレーンが伝動できるように設置され、更に左右両側の前記隔離軸を連動させて向き合って同期回転させ、右側の前記隔離軸の前端には前記伝達チャンバの中に位置している隔離ベベルギヤが設置され、前記伝達チャンバの中には第二延伸軸が設置され、前記第二延伸軸の左端には前記伝達チャンバの中に位置しており、且つ前記隔離ベベルギヤと噛み合っているセクタベベルギヤが設置され、前記第二延伸軸の右端には前記転向チャンバの中に位置しており、且つ前記下ベベルギヤと噛み合っている伝動ベベルギヤが設置されたことを特徴とする請求項１に記載の廃棄医療用具の処理設備。
【請求項９】
前記焼却装置は前記焼却炉の中に設置されたかき回し軸を含み、前記かき回し軸の外壁には前記焼却炉の中に位置しているかき回し回転羽根が設置され、更に粉砕された後の医療用具を絶えず引っ掻き回し、医療用具の完全燃焼を保証し、前記伝達チャンバの中には伝達軸が設置され、前記伝達軸と前記かき回し軸との間は伝達ベルトにより動力伝達を行い、前記伝達軸と前記第二延伸軸との間は動力ベルトにより動力伝達を行うことを特徴とする請求項１に記載の廃棄医療用具の処理設備。
【発明の詳細な説明】
【技術分野】
【０００１】
本発明は医療用品処理分野を取り上げて、具体的には廃棄医療用具の処理設備である。
【背景技術】
【０００２】
社会の発展につれて、人々が自身の体の健康をますます重視するようになっているので、医薬品業界が発展してきて、しかし、それと同時にたくさんの医薬用具が生じられ、医薬が一般的に一定の汚染性を有するので、環境に危害を及ぼしやすく、そこで、特別な処理を行なう必要があり、現在、医薬用具の処理は、いずれも作業員が梱包して定期的に消毒して埋め又は直接に焼却処理を行うことであり、また医薬用具の収集過程において厳しく選別し、鋭い金属物が空気に晒されることを避ける必要があり、そのため、医薬用具の処理ステップが複雑であり、工程が煩わしく、作業効率が低く作業環境が悪く、作業員が感染しやすく、作業員の健康に影響を及ぼす可能性があり、そこで、本発明は医療用具を分離と処理する一体式の処理設備を設計することを目的とする。
【先行技術文献】
【特許文献】
【０００３】
【特許文献１】中国特許出願公開第109201232号明細書
【発明の概要】
【発明が解決しようとする課題】
【０００４】
技術問題：
従来の医療用具の処理は人で選別することを採用し、鋭い金属物が空気に晒されることと、作業員の健康に影響を及ぼすことを避け、又は直接に焼却処理を行い、当該方式は不完全燃焼時に二次汚染源を生じやすく、環境を汚染し、作業員の体の健康を害する。
【課題を解決するための手段】
【０００５】
上記の問題を解決するために、本発明は廃棄医療用具の処理設備を設計し、本発明の廃棄医療用具の処理設備は、処理器を含み、前記処理器の中には粉砕チャンバが設置され、前記粉砕チャンバの中には廃棄された医療用具を粉砕できる粉砕装置が設置され、前記粉砕チャンバの右壁の中には医療用具送りチャンバが設置され、前記医療用具送りチャンバの中には医療用具送り装置が設置され、更に廃棄された医療用具を絶えず前記粉砕装置の中に送ることができ、前記粉砕チャンバの中には粉砕された医療用具を篩分ける篩分け装置が設置され、更に可燃性材料と金属材料を分離させることができ、分別処理に便利を与え、また材料回収利用率を高め、前記粉砕チャンバの前側壁の中には伝動チャンバが設置され、前記伝動チャンバの中には前記篩分け装置の動力を前記粉砕装置の中に伝達できる第一ギヤトレーンが設置され、更に前記粉砕装置を連動させて回転させ、前記粉砕チャンバの底壁の中には前記粉砕チャンバに連通した隔離チャンバが設置され、前記隔離チャンバの底壁の中には前記隔離チャンバに連通した焼却炉が設置され、前記焼却炉の中には可燃性材料を焼却して処理できる焼却装置が設置され、更に可燃の医療用具を焼却して処理でき、前記隔離チャンバの中には間欠的に回転する隔離装置が設置され、更に可燃性医療用具を前記焼却炉に間欠的に落として焼却でき、一回に大量の医療用具が前記焼却装置の中に入って燃焼効率を下げ、更に二次汚染物を生じることを避け、前記隔離チャンバの右壁の中には前記粉砕チャンバに連通した溶錬炉が設置され、更に落ちた金属材料を溶融させ、更に金属材料に対して滅菌処理を行い、前記溶錬炉と前記焼却炉との間には前記焼却装置の中に生じた熱量を前記溶錬炉の中に伝達する熱伝導器が設置され、更にエネルギーの浪費を避け、前記伝動チャンバの右壁の中には動力チャンバが設置され、前記動力チャンバの中には当該設備を駆動して作動させ続ける駆動システムが設置され、前記動力チャンバの中には前記駆動システムが生じた動力を各装置の中に伝達できる伝動装置が設置された。
【０００６】
好ましくは、前記駆動システムは前記動力チャンバの中に設置された原動機を含み、前記動力チャンバの中には動力軸が設置され、前記動力軸の底端が前記原動機と動力が伝達できるように連結され、前記原動機の頂端には主動ギヤが設置された。
【０００７】
好ましくは、前記原動機は電動機又は油圧モータであり、前記動力軸を駆動して回転させることができる。
【０００８】
好ましくは、前記伝動装置は前記動力チャンバの中に設置された伝動軸を含み、前記動力チャンバの底壁の中には転向チャンバが設置され、前記伝動軸の外壁には前記動力チャンバの中に位置しており、且つ前記主動ギヤと噛み合っている従動ギヤが設置され、更に前記伝動軸を連動させて回転させることができ、前記伝動軸の外壁には前記動力チャンバの中に位置しており、且つ前記篩分け装置を連動させて回転させることができる主動ベベルギヤが設置され、前記伝動軸の頂端には前記動力チャンバの中に位置しており、且つ前記医療用具送り装置を連動させて左右にスライドさせることができる上ベベルギヤが設置され、前記伝動軸の底端には前記転向チャンバの中に位置しており、且つ前記隔離装置を連動させて回転させることができる下ベベルギヤが設置された。
【０００９】
好ましくは、前記医療用具送り装置は前記粉砕チャンバの中にスライドできるように設置された医療用具送り推しブロックを含み、前記医療用具送りチャンバの中には揺れ動くことができる揺れロッドが設置され、前記揺れロッドと前記医療用具送り推しブロックの底部端壁との間はスライドコンロッドを通してヒンジにより連結され、更に前記揺れロッドが左右に揺れ動いて前記医療用具送り推しブロックを連動させて左右にスライドさせることができ、更にゴミを前記粉砕装置の中に絶えず送り込み、前記医療用具送りチャンバの中には医療用具送り軸が設置され、前記医療用具送り軸の前端には前記動力チャンバの中に位置しており、且つ前記上ベベルギヤと噛み合っている医療用具送りベベルギヤが設置され、更に前記医療用具送り軸を連動させて回転させることができ、前記医療用具送り軸の後端には前記医療用具送りチャンバの中に位置している回転ロッドが設置され、前記揺れロッドが前記回転ロッドの中にスライドできるように設置され、更に前記回転ロッドが前記医療用具送り軸を連動させて左右に揺れ動かせることができる。
【００１０】
好ましくは、前記粉砕装置は前記粉砕チャンバの中に設置された左右対称の粉砕軸を含み、前記粉砕軸の外壁には前記粉砕チャンバの中に位置している粉砕ロールが設置され、更に廃棄医療用具を粉砕して処理でき、前記粉砕軸の前端には前記伝動チャンバの中に位置している粉砕ギヤが設置され、左右両側の前記粉砕ギヤが互いに噛み合っており、右側の前記粉砕ギヤが前記第一ギヤトレーンと噛み合っており、更に前記粉砕軸を連動させて回転させることができ、前記伝動チャンバの中には分離軸が設置され、前記分離軸の外壁には前記伝動チャンバの中に位置しており、且つ前記第一ギヤトレーンと噛み合っている伝動ギヤが設置され、前記分離軸の前端には従動ベベルギヤが設置され、更に前記分離軸を連動させて回転させることができ、前記動力チャンバの中には第一延伸軸が設置され、前記第一延伸軸の左端には前記伝動チャンバの中に位置しており、且つ前記従動ベベルギヤと噛み合っている左ベベルギヤが設置され、更に前記従動ベベルギヤにより前記分離軸を連動させて回転させることができ、前記第一延伸軸の右端には前記動力チャンバの中に位置しており、且つ前記主動ベベルギヤと噛み合っている右ベベルギヤが設置され、更に前記第一延伸軸を連動させて回転させることができる。
【００１１】
好ましくは、前記篩分け装置は前記粉砕チャンバの中に設置された二つの支えロールを含み、前記支えロールの間には金属材料を吸着できる磁性分離ベルトが回転できるように設置され、更に金属材料と可燃性材料を分離させ、上側の前記支えロールが前記分離軸の後端と固定的に連結され、更に前記磁性分離ベルトを連動させて回転させることができる。
【００１２】
好ましくは、前記隔離装置は前記隔離チャンバの中に設置された左右対称の隔離軸を含み、前記隔離軸の外壁には四つの隔離板が円周方向に配列され、左右両側の前記隔離板が互いに接触して前記隔離チャンバと前記焼却炉とを隔離することができ、更に前記焼却装置の中に入った可燃性材料を制限し、前記転向チャンバの左壁の中には伝達チャンバが設置され、前記隔離軸の前端には前記伝達チャンバの中に位置している隔離ギヤが設置され、左右両側の前記隔離ギヤの間には第二ギヤトレーンが伝動できるように設置され、更に左右両側の前記隔離軸を連動させて向き合って同期回転させ、右側の前記隔離軸の前端には前記伝達チャンバの中に位置している隔離ベベルギヤが設置され、前記伝達チャンバの中には第二延伸軸が設置され、前記第二延伸軸の左端には前記伝達チャンバの中に位置しており、且つ前記隔離ベベルギヤと噛み合っているセクタベベルギヤが設置され、前記第二延伸軸の右端には前記転向チャンバの中に位置しており、且つ前記下ベベルギヤと噛み合っている伝動ベベルギヤが設置され、更に前記伝動ベベルギヤと、前記セクタベベルギヤと、前記隔離ベベルギヤとにより前記隔離軸を連動させて回転させることができる。
【００１３】
好ましくは、前記焼却装置は前記焼却炉の中に設置されたかき回し軸を含み、前記かき回し軸の外壁には前記焼却炉の中に位置しているかき回し回転羽根が設置され、更に粉砕された後の医療用具を絶えず引っ掻き回し、医療用具の完全燃焼を保証し、前記伝達チャンバの中には伝達軸が設置され、前記伝達軸と前記かき回し軸との間は伝達ベルトにより動力伝達を行い、前記伝達軸と前記第二延伸軸との間は動力ベルトにより動力伝達を行い、更に前記第二延伸軸は前記動力ベルトと、前記伝達軸と、前記伝達ベルトとにより前記かき回し軸を連動させて回転させることができる。
【発明の効果】
【００１４】
本発明の有益効果は：本発明は構成が簡単であり、操作しやすく、メンテナンスが便利であり、また当該設備は医療用具を自動的に粉砕し、材料を分離させ、また可燃性材料を完全に燃やして環境への二次汚染を減少し、また焼却する時の熱量を利用して金属材料を融解させ、資源の回収利用に便利を与え、また作業員が医療用具と接触する確率を下げ、作業員の作業環境を改善し、医薬用具の処理効率を上げ、そのため、当該設備は高い使用価値と普及する価値を有する。
【図面の簡単な説明】
【００１５】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の廃棄医療用具の処理設備の全体構成模式図
【図２】図２は図１の中のＡ―Ａの構成模式図
【図３】図３は図１の中のＢ―Ｂの構成模式図
【発明を実施するための形態】
【００１７】
本発明は廃棄医療用具の処理設備に関し、主に大規模の廃棄医療用具の処理及び回収作業に応用され、以下は本発明の付図を交えて本発明について更に説明する。
【００１８】
本発明の廃棄医療用具の処理設備は、処理器１１を含み、前記処理器１１の中には粉砕チャンバ３２が設置され、前記粉砕チャンバ３２の中には廃棄された医療用具を粉砕できる粉砕装置１０４が設置され、前記粉砕チャンバ３２の右壁の中には医療用具送りチャンバ２６が設置され、前記医療用具送りチャンバ２６の中には医療用具送り装置１０３が設置され、更に廃棄された医療用具を絶えず前記粉砕装置１０４の中に送ることができ、前記粉砕チャンバ３２の中には粉砕された医療用具を篩分ける篩分け装置１０５が設置され、更に可燃性材料と金属材料を分離させることができ、分別処理に便利を与え、また材料回収利用率を高め、前記粉砕チャンバ３２の前側壁の中には伝動チャンバ３４が設置され、前記伝動チャンバ３４の中には前記篩分け装置１０５の動力を前記粉砕装置１０４の中に伝達できる第一ギヤトレーン３５が設置され、更に前記粉砕装置１０４を連動させて回転させ、前記粉砕チャンバ３２の底壁の中には前記粉砕チャンバ３２に連通した隔離チャンバ１５が設置され、前記隔離チャンバ１５の底壁の中には前記隔離チャンバ１５に連通した焼却炉１８が設置され、前記焼却炉１８の中には可燃性材料を焼却して処理できる焼却装置１０７が設置され、更に可燃の医療用具を焼却して処理でき、前記隔離チャンバ１５の中には間欠的に回転する隔離装置１０６が設置され、更に可燃性医療用具を前記焼却炉１８に間欠的に落として焼却でき、一回に大量の医療用具が前記焼却装置１０７の中に入って燃焼効率を下げ、更に二次汚染物を生じることを避け、前記隔離チャンバ１５の右壁の中には前記粉砕チャンバ３２に連通した溶錬炉２３が設置され、更に落ちた金属材料を溶融させ、更に金属材料に対して滅菌処理を行い、前記溶錬炉２３と前記焼却炉１８との間には前記焼却装置１０７の中に生じた熱量を前記溶錬炉２３の中に伝達する熱伝導器２２が設置され、更にエネルギーの浪費を避け、前記伝動チャンバ３４の右壁の中には動力チャンバ５２が設置され、前記動力チャンバ５２の中には当該設備を駆動して作動させ続ける駆動システム１０１が設置され、前記動力チャンバ５２の中には前記駆動システム１０１が生じた動力を各装置の中に伝達できる伝動装置１０２が設置された。
【００１９】
実施例によると、以下は前記駆動システム１０１について詳しく説明し、前記駆動システム１０１は前記動力チャンバ５２の中に設置された原動機５９を含み、前記動力チャンバ５２の中には動力軸５８が設置され、前記動力軸５８の底端が前記原動機５９と動力が伝達できるように連結され、前記原動機５９の頂端には主動ギヤ５７が設置された。
【００２０】
有益的には、前記原動機５９は電動機又は油圧モータであり、前記動力軸５８を駆動して回転させることができる。
【００２１】
実施例によると、以下は前記伝動装置１０２について詳しく説明し、前記伝動装置１０２は前記動力チャンバ５２の中に設置された伝動軸５１を含み、前記動力チャンバ５２の底壁の中には転向チャンバ６１が設置され、前記伝動軸５１の外壁には前記動力チャンバ５２の中に位置しており、且つ前記主動ギヤ５７と噛み合っている従動ギヤ５６が設置され、更に前記伝動軸５１を連動させて回転させることができ、前記伝動軸５１の外壁には前記動力チャンバ５２の中に位置しており、且つ前記篩分け装置１０５を連動させて回転させることができる主動ベベルギヤ５５が設置され、前記伝動軸５１の頂端には前記動力チャンバ５２の中に位置しており、且つ前記医療用具送り装置１０３を連動させて左右にスライドさせることができる上ベベルギヤ５０が設置され、前記伝動軸５１の底端には前記転向チャンバ６１の中に位置しており、且つ前記隔離装置１０６を連動させて回転させることができる下ベベルギヤ６０が設置された。
【００２２】
実施例によると、以下は前記医療用具送り装置１０３について詳しく説明し、前記医療用具送り装置１０３は前記粉砕チャンバ３２の中にスライドできるように設置された医療用具送り推しブロック３１を含み、前記医療用具送りチャンバ２６の中には揺れ動くことができる揺れロッド２９が設置され、前記揺れロッド２９と前記医療用具送り推しブロック３１の底部端壁との間はスライドコンロッド３０を通してヒンジにより連結され、更に前記揺れロッド２９が左右に揺れ動いて前記医療用具送り推しブロック３１を連動させて左右にスライドさせることができ、更にゴミを前記粉砕装置１０４の中に絶えず送り込み、前記医療用具送りチャンバ２６の中には医療用具送り軸２８が設置され、前記医療用具送り軸２８の前端には前記動力チャンバ５２の中に位置しており、且つ前記上ベベルギヤ５０と噛み合っている医療用具送りベベルギヤ４９が設置され、更に前記医療用具送り軸２８を連動させて回転させることができ、前記医療用具送り軸２８の後端には前記医療用具送りチャンバ２６の中に位置している回転ロッド２７が設置され、前記揺れロッド２９が前記回転ロッド２７の中にスライドできるように設置され、更に前記回転ロッド２７が前記医療用具送り軸２８を連動させて左右に揺れ動かせることができる。
【００２３】
実施例によると、以下は前記粉砕装置１０４について詳しく説明し、前記粉砕装置１０４は前記粉砕チャンバ３２の中に設置された左右対称の粉砕軸１２を含み、前記粉砕軸１２の外壁には前記粉砕チャンバ３２の中に位置している粉砕ロール１３が設置され、更に廃棄医療用具を粉砕して処理でき、前記粉砕軸１２の前端には前記伝動チャンバ３４の中に位置している粉砕ギヤ３３が設置され、左右両側の前記粉砕ギヤ３３が互いに噛み合っており、右側の前記粉砕ギヤ３３が前記第一ギヤトレーン３５と噛み合っており、更に前記粉砕軸１２を連動させて回転させることができ、前記伝動チャンバ３４の中には分離軸２４が設置され、前記分離軸２４の外壁には前記伝動チャンバ３４の中に位置しており、且つ前記第一ギヤトレーン３５と噛み合っている伝動ギヤ３６が設置され、前記分離軸２４の前端には従動ベベルギヤ３７が設置され、更に前記分離軸２４を連動させて回転させることができ、前記動力チャンバ５２の中には第一延伸軸５４が設置され、前記第一延伸軸５４の左端には前記伝動チャンバ３４の中に位置しており、且つ前記従動ベベルギヤ３７と噛み合っている左ベベルギヤ３８が設置され、更に前記従動ベベルギヤ３７により前記分離軸２４を連動させて回転させることができ、前記第一延伸軸５４の右端には前記動力チャンバ５２の中に位置しており、且つ前記主動ベベルギヤ５５と噛み合っている右ベベルギヤ５３が設置され、更に前記第一延伸軸５４を連動させて回転させることができる。
【００２４】
実施例によると、以下は前記篩分け装置１０５について詳しく説明し、前記篩分け装置１０５は前記粉砕チャンバ３２の中に設置された二つの支えロール２５を含み、前記支えロール２５の間には金属材料を吸着できる磁性分離ベルト１４が回転できるように設置され、更に金属材料と可燃性材料を分離させ、上側の前記支えロール２５が前記分離軸２４の後端と固定的に連結され、更に前記磁性分離ベルト１４を連動させて回転させることができる。
【００２５】
実施例によると、以下は前記隔離装置１０６について詳しく説明し、前記隔離装置１０６は前記隔離チャンバ１５の中に設置された左右対称の隔離軸１７を含み、前記隔離軸１７の外壁には四つの隔離板１６が円周方向に配列され、左右両側の前記隔離板１６が互いに接触して前記隔離チャンバ１５と前記焼却炉１８とを隔離することができ、更に前記焼却装置１０７の中に入った可燃性材料を制限し、前記転向チャンバ６１の左壁の中には伝達チャンバ３９が設置され、前記隔離軸１７の前端には前記伝達チャンバ３９の中に位置している隔離ギヤ４０が設置され、左右両側の前記隔離ギヤ４０の間には第二ギヤトレーン４１が伝動できるように設置され、更に左右両側の前記隔離軸１７を連動させて向き合って同期回転させ、右側の前記隔離軸１７の前端には前記伝達チャンバ３９の中に位置している隔離ベベルギヤ４２が設置され、前記伝達チャンバ３９の中には第二延伸軸６３が設置され、前記第二延伸軸６３の左端には前記伝達チャンバ３９の中に位置しており、且つ前記隔離ベベルギヤ４２と噛み合っているセクタベベルギヤ４３が設置され、前記第二延伸軸６３の右端には前記転向チャンバ６１の中に位置しており、且つ前記下ベベルギヤ６０と噛み合っている伝動ベベルギヤ６２が設置され、更に前記伝動ベベルギヤ６２と、前記セクタベベルギヤ４３と、前記隔離ベベルギヤ４２とにより前記隔離軸１７を連動させて回転させることができる。
【００２６】
実施例によると、以下は前記焼却装置１０７について詳しく説明し、前記焼却装置１０７は前記焼却炉１８の中に設置されたかき回し軸１９を含み、前記かき回し軸１９の外壁には前記焼却炉１８の中に位置しているかき回し回転羽根２１が設置され、更に粉砕された後の医療用具を絶えず引っ掻き回し、医療用具の完全燃焼を保証し、前記伝達チャンバ３９の中には伝達軸４７が設置され、前記伝達軸４７と前記かき回し軸１９との間は伝達ベルト２０により動力伝達を行い、前記伝達軸４７と前記第二延伸軸６３との間は動力ベルト４５により動力伝達を行い、更に前記第二延伸軸６３は前記動力ベルト４５と、前記伝達軸４７と、前記伝達ベルト２０とにより前記かき回し軸１９を連動させて回転させることができる。
【００２７】
以下は付図を交えて本発明の廃棄医療用具の処理設備の使用ステップについて詳しく説明する：
【００２８】
当該設備を使用する時、前記原動機５９は動力軸５８と、主動ギヤ５７と、従動ギヤ５６と、伝動軸５１とにより上ベベルギヤ５０と、主動ベベルギヤ５５と、下ベベルギヤ６０とを連動させて回転させ、更に上ベベルギヤ５０が医療用具送りベベルギヤ４９と、医療用具送り軸２８と、回転ロッド２７とにより揺れロッド２９を連動させて左右に揺れ動かせ、更にスライドコンロッド３０により医療用具送り推しブロック３１を連動させて左右にスライドさせ、更に処理待ちの医療用具を粉砕装置１０４の中に送り込み、それと同時に、主動ベベルギヤ５５は右ベベルギヤ５３と、第一延伸軸５４と、左ベベルギヤ３８と、従動ベベルギヤ３７と、分離軸２４と、伝動ギヤ３６と、第一ギヤトレーン３５と、粉砕ギヤ３３と、粉砕軸１２とにより粉砕ロール１３を連動させて回転させ、更に医療用具を粉砕し、粉砕された医療用具が磁性分離ベルト１４の外壁に落ち、磁性分離ベルト１４が金属材料を外壁に吸着し、可燃性材料が隔離チャンバ１５の中に落ち、同時に、分離軸２４が支えロール２５により磁性分離ベルト１４を連動させて回転させ、更に磁性分離ベルト１４が金属材料を溶錬炉２３の中に送り込み、それと同時に、下ベベルギヤ６０が伝動ベベルギヤ６２と、第二延伸軸６３と、セクタベベルギヤ４３と、隔離ベベルギヤ４２と、隔離軸１７とにより隔離板１６を連動させて回転させ、隔離チャンバ１５にある可燃性医療用具を焼却炉１８の中に送り込み、隔離軸１７が九十度回転する時、隔離板１６が再び互いに接触して隔離チャンバ１５と焼却炉１８とを隔離し、同時に、セクタベベルギヤ４３が隔離ベベルギヤ４２との接触から離脱し、それと同時に、第二延伸軸６３が動力ベルト４５と、伝達軸４７と、伝達ベルト２０と、かき回し軸１９とによりかき回し回転羽根２１を連動させて回転させ、可燃性医療用具の完全燃焼を促し、同時に、燃焼の熱量が熱伝導器２２により溶錬炉２３の中に伝導されて溶錬炉２３にある金属材料を溶解させ、消毒と回収利用の目的を達成する。
【００２９】
本発明の有益効果は：本発明は構成が簡単であり、操作しやすく、メンテナンスが便利であり、また当該設備は医療用具を自動的に粉砕し、材料を分離させ、また可燃性材料を完全に燃やして環境への二次汚染を減少し、また焼却する時の熱量を利用して金属材料を融解させ、資源の回収利用に便利を与え、また作業員が医療用具と接触する確率を下げ、作業員の作業環境を改善し、医薬用具の処理効率を上げ、そのため、当該設備は高い使用価値と普及する価値を有する。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020199491.tif 000003
【図２】
2020199491.tif 000004
【図３】
2020199491.tif 000005
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
正面視で、処理器を含み、前記処理器の中には粉砕チャンバが設置され、前記粉砕チャンバの中には廃棄された医療用具を粉砕できる粉砕装置が設置され、前記粉砕チャンバの右壁の中には医療用具送りチャンバが設置され、前記医療用具送りチャンバの中には医療用具送り装置が設置され、更に廃棄された医療用具を絶えず前記粉砕装置の中に送ることができ、前記粉砕チャンバの中には粉砕された医療用具を篩分ける篩分け装置が設置され、更に可燃性材料と金属材料を分離させることができ、分別処理に便利を与え、また材料回収利用率を高め、前記粉砕チャンバの前側壁の中には伝動チャンバが設置され、前記伝動チャンバの中には前記篩分け装置の動力を前記粉砕装置の中に伝達できる第一ギヤトレーンが設置され、更に前記粉砕装置を連動させて回転させ、前記粉砕チャンバの底壁の中には前記粉砕チャンバに連通した隔離チャンバが設置され、前記隔離チャンバの底壁の中には前記隔離チャンバに連通した焼却炉が設置され、前記焼却炉の中には可燃性材料を焼却して処理できる焼却装置が設置され、更に可燃の医療用具を焼却して処理でき、前記隔離チャンバの中には間欠的に回転する隔離装置が設置され、更に可燃性医療用具を前記焼却炉に間欠的に落として焼却でき、一回に大量の医療用具が前記焼却装置の中に入って燃焼効率を下げ、更に二次汚染物を生じることを避け、前記隔離チャンバの右壁の中には前記粉砕チャンバに連通した溶錬炉が設置され、更に落ちた金属材料を溶融させ、更に金属材料に対して滅菌処理を行い、前記溶錬炉と前記焼却炉との間には前記焼却装置の中に生じた熱量を前記溶錬炉の中に伝達する熱伝導器が設置され、更にエネルギーの浪費を避け、前記伝動チャンバの右壁の中には動力チャンバが設置され、前記動力チャンバの中には当該設備を駆動して作動させ続ける駆動システムが設置され、前記動力チャンバの中には前記駆動システムが生じた動力を各装置の中に伝達できる伝動装置が設置され、 
前記駆動システムは前記動力チャンバの中に設置された原動機を含み、前記動力チャンバの中には動力軸が設置され、前記動力軸の底端が前記原動機と動力が伝達できるように連結され、前記原動機の頂端には主動ギヤが設置され、
前記原動機は電動機又は油圧モータであり、前記動力軸を駆動して回転させることができ、 
前記伝動装置は前記動力チャンバの中に設置された伝動軸を含み、前記動力チャンバの底壁の中には転向チャンバが設置され、前記伝動軸の外壁には前記動力チャンバの中に位置しており、且つ前記主動ギヤと噛み合っている従動ギヤが設置され、更に前記伝動軸を連動させて回転させることができ、前記伝動軸の外壁には前記動力チャンバの中に位置しており、且つ前記篩分け装置を連動させて回転させることができる主動ベベルギヤが設置され、前記伝動軸の頂端には前記動力チャンバの中に位置しており、且つ前記医療用具送り装置を連動させて左右にスライドさせることができる上ベベルギヤが設置され、前記伝動軸の底端には前記転向チャンバの中に位置しており、且つ前記隔離装置を連動させて回転させることができる下ベベルギヤが設置されたことを特徴とする廃棄医療用具の処理設備。 
【請求項２】
前記医療用具送り装置は前記粉砕チャンバの中にスライドできるように設置された医療用具送り推しブロックを含み、前記医療用具送りチャンバの中には揺れ動くことができる揺れロッドが設置され、前記揺れロッドと前記医療用具送り推しブロックの底部端壁との間はスライドコンロッドを通してヒンジにより連結され、更に前記揺れロッドが左右に揺れ動いて前記医療用具送り推しブロックを連動させて左右にスライドさせることができ、更にゴミを前記粉砕装置の中に絶えず送り込み、前記医療用具送りチャンバの中には医療用具送り軸が設置され、前記医療用具送り軸の前端には前記動力チャンバの中に位置しており、且つ前記上ベベルギヤと噛み合っている医療用具送りベベルギヤが設置され、更に前記医療用具送り軸を連動させて回転させることができ、前記医療用具送り軸の後端には前記医療用具送りチャンバの中に位置している回転ロッドが設置され、前記揺れロッドが前記回転ロッドの中にスライドできるように設置されたことを特徴とする請求項１に記載の廃棄医療用具の処理設備。 
【請求項３】
前記粉砕装置は前記粉砕チャンバの中に設置された左右対称の粉砕軸を含み、前記粉砕軸の外壁には前記粉砕チャンバの中に位置している粉砕ロールが設置され、更に廃棄医療用具を粉砕して処理でき、前記粉砕軸の前端には前記伝動チャンバの中に位置している粉砕ギヤが設置され、左右両側の前記粉砕ギヤが互いに噛み合っており、右側の前記粉砕ギヤが前記第一ギヤトレーンと噛み合っており、更に前記粉砕軸を連動させて回転させることができ、前記伝動チャンバの中には分離軸が設置され、前記分離軸の外壁には前記伝動チャンバの中に位置しており、且つ前記第一ギヤトレーンと噛み合っている伝動ギヤが設置され、前記分離軸の前端には従動ベベルギヤが設置され、更に前記分離軸を連動させて回転させることができ、前記動力チャンバの中には第一延伸軸が設置され、前記第一延伸軸の左端には前記伝動チャンバの中に位置しており、且つ前記従動ベベルギヤと噛み合っている左ベベルギヤが設置され、更に前記従動ベベルギヤにより前記分離軸を連動させて回転させることができ、前記第一延伸軸の右端には前記動力チャンバの中に位置しており、且つ前記主動ベベルギヤと噛み合っている右ベベルギヤが設置され、 
前記篩分け装置は前記粉砕チャンバの中に設置された二つの支えロールを含み、前記支えロールの間には金属材料を吸着できる磁性分離ベルトが回転できるように設置され、更に金属材料と可燃性材料を分離させ、上側の前記支えロールが前記分離軸の後端と固定的に連結されたことを特徴とする請求項１に記載の廃棄医療用具の処理設備。 
【請求項４】
前記隔離装置は前記隔離チャンバの中に設置された左右対称の隔離軸を含み、前記隔離軸の外壁には四つの隔離板が円周方向に配列され、左右両側の前記隔離板が互いに接触して前記隔離チャンバと前記焼却炉とを隔離することができ、更に前記焼却装置の中に入った可燃性材料を制限し、前記転向チャンバの左壁の中には伝達チャンバが設置され、前記隔離軸の前端には前記伝達チャンバの中に位置している隔離ギヤが設置され、左右両側の前記隔離ギヤの間には第二ギヤトレーンが伝動できるように設置され、更に左右両側の前記隔離軸を連動させて向き合って同期回転させ、右側の前記隔離軸の前端には前記伝達チャンバの中に位置している隔離ベベルギヤが設置され、前記伝達チャンバの中には第二延伸軸が設置され、前記第二延伸軸の左端には前記伝達チャンバの中に位置しており、且つ前記隔離ベベルギヤと噛み合っているセクタベベルギヤが設置され、前記第二延伸軸の右端には前記転向チャンバの中に位置しており、且つ前記下ベベルギヤと噛み合っている伝動ベベルギヤが設置されたことを特徴とする請求項１に記載の廃棄医療用具の処理設備。
【請求項５】
前記焼却装置は前記焼却炉の中に設置されたかき回し軸を含み、前記かき回し軸の外壁には前記焼却炉の中に位置しているかき回し回転羽根が設置され、更に粉砕された後の医療用具を絶えず引っ掻き回し、医療用具の完全燃焼を保証し、前記伝達チャンバの中には伝達軸が設置され、前記伝達軸と前記かき回し軸との間は伝達ベルトにより動力伝達を行い、前記伝達軸と前記第二延伸軸との間は動力ベルトにより動力伝達を行うことを特徴とする請求項４に記載の廃棄医療用具の処理設備。